【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
テープ状の磁気記録媒体であって、
基体と、
前記基体上に設けられ、非磁性粉を含む非磁性層と、
前記非磁性層上に設けられ、磁性粉を含む磁性層と
を備え、
前記基体は、ＰＥＴ（ポリエチレンテレフタレート）、ＰＥＮ（ポリエチレンナフタレート）、ＰＢＴ（ポリブチレンテレフタレート）、ＰＢＮ（ポリブチレンナフタレート）、ＰＣＴ（ポリシクロヘキシレンジメチレンテレフタレート）、ＰＥＢ（ポリエチレン−ｐ−オキシベンゾエート）およびポリエチレンビスフェノキシカルボキシレートのうちの少なくとも１種を含み、
前記基体の平均厚みが、４．２μｍ以下であり、
前記磁性層の平均厚みが、９０ｎｍ以下であり、
前記磁性粉の平均アスペクト比が、１．０以上３．０以下であり、
前記磁気記録媒体の垂直方向における前記磁気記録媒体の保磁力Ｈｃ１が、３０００Ｏｅ以下であり、
前記保磁力Ｈｃ１と、前記磁気記録媒体の長手方向における前記磁気記録媒体の保磁力Ｈｃ２とが、Ｈｃ２／Ｈｃ１≦０．８の関係を満たし、
前記非磁性層の平均厚みが、１．１μｍ以下であり、
前記非磁性粉の平均粒子体積が、２．０×１０−５μｍ３以下である磁気記録媒体。
【請求項２】
テープ状の磁気記録媒体であって、
基体と、
前記基体上に設けられ、非磁性粉を含む非磁性層と、
前記非磁性層上に設けられ、磁性粉を含む磁性層と
を備え、
前記基体は、ＰＥＴ（ポリエチレンテレフタレート）、ＰＥＮ（ポリエチレンナフタレート）、ＰＢＴ（ポリブチレンテレフタレート）、ＰＢＮ（ポリブチレンナフタレート）、ＰＣＴ（ポリシクロヘキシレンジメチレンテレフタレート）、ＰＥＢ（ポリエチレン−ｐ−オキシベンゾエート）およびポリエチレンビスフェノキシカルボキシレートのうちの少なくとも１種を含み、
前記磁性層の平均厚みが、９０ｎｍ以下であり、
前記磁性粉の平均アスペクト比が、１．０以上３．０以下であり、
前記磁気記録媒体の垂直方向における前記磁気記録媒体の保磁力Ｈｃ１が、３０００Ｏｅ以下であり、
前記保磁力Ｈｃ１と、前記磁気記録媒体の長手方向における前記磁気記録媒体の保磁力Ｈｃ２とが、Ｈｃ２／Ｈｃ１≦０．７５の関係を満たし、
前記磁気記録媒体の平均厚みが、５．２μｍ以下である磁気記録媒体。
【請求項３】
前記磁性層が、複数のサーボバンドを有し、
前記磁性層の表面の面積に対する複数の前記サーボバンドの総面積の割合が、４．０％以下である請求項１または２に記載の磁気記録媒体。
【請求項４】
前記サーボバンドの数が、５以上である請求項３に記載の磁気記録媒体。
【請求項５】
前記サーボバンドの数が、５＋４ｎ（但し、ｎは正の整数である。）以上である請求項３に記載の磁気記録媒体。
【請求項６】
前記サーボバンドの幅が、９５μｍ以下である請求項３に記載の磁気記録媒体。
【請求項７】
前記磁性層が、複数のデータトラックを形成可能に構成され、
前記データトラックの幅が、３．０μｍ以下である請求項１または２に記載の磁気記録媒体。
【請求項８】
前記磁性層が、磁化反転間距離の最小値Ｌとデータトラックの幅Ｗの比率Ｗ／ＬがＷ／Ｌ≦２００の関係を満たすように、データを記録可能に構成されている請求項１または２に記載の磁気記録媒体。
【請求項９】
前記磁性層が、磁化反転間距離の最小値Ｌが４８ｎｍ以下となるように、データを記録可能に構成されている請求項１または２に記載の磁気記録媒体。
【請求項１０】
前記保磁力Ｈｃ２が、２０００Ｏｅ以下である請求項１または２に記載の磁気記録媒体。
【請求項１１】
前記磁気記録媒体の平均厚みが、５．６μｍ以下である請求項１に記載の磁気記録媒体。
【請求項１２】
前記基体の平均厚みが、４．２μｍ以下である請求項２に記載の磁気記録媒体。
【請求項１３】
前記磁気記録媒体の平均厚みが、５．６μｍ以下であり、
前記磁性層が、複数のサーボバンドを有し、前記サーボバンドの数が、５以上であり、
前記磁性層が、複数のデータトラックを形成可能に構成され、前記データトラックの幅が、１．６μｍ以下であり、磁化反転間距離の最小値Ｌが、５０ｎｍ以下であり、前記磁化反転間距離の最小値Ｌと前記データトラックの幅Ｗの比率Ｗ／ＬがＷ／Ｌ≦３０の関係を満たす請求項１に記載の磁気記録媒体。
【請求項１４】
前記磁性粉が、六方晶フェライト、ε酸化鉄またはＣｏ含有スピネルフェライトを含む請求項１から１３のいずれかに記載の磁気記録媒体。
【請求項１５】
前記六方晶フェライトが、ＢａおよびＳｒのうちの少なくとも１種を含み、
前記ε酸化鉄が、ＡｌおよびＧａのうちの少なくとも１種を含む請求項１４に記載の磁気記録媒体。
【請求項１６】
前記磁性層の平均厚みが、７０ｎｍ以下である請求項１または２に記載の磁気記録媒体。
【請求項１７】
前記磁性層の平均厚みが、３０ｎｍ以上、５０ｎｍ以下である請求項１または２に記載の磁気記録媒体。
【請求項１８】
前記保磁力Ｈｃ１と、前記保磁力Ｈｃ２とが、Ｈｃ２／Ｈｃ１≦０．７の関係を満たす請求項１または２に記載の磁気記録媒体。
【請求項１９】
前記保磁力Ｈｃ１が、２２００Ｏｅ以上である請求項１または２に記載の磁気記録媒体。
【請求項２０】
前記非磁性粉が、Ｆｅ基非磁性粒子を含む請求項１から１９のいずれかに記載の磁気記録媒体。
【請求項２１】
前記Ｆｅ基非磁性粒子が、ヘマタイト（α−Ｆｅ２Ｏ３）である請求項２０に記載の磁気記録媒体。
【請求項２２】
前記非磁性粉の平均粒子体積が、１．０×１０−５μｍ３以下である請求項１または２に記載の磁気記録媒体。
【請求項２３】
前記磁性層の表面の算術平均粗さＲａが、２．０ｎｍ以下である請求項１から２２のいずれかに記載の磁気記録媒体。
【請求項２４】
前記基体の平均厚みが、３．８μｍ以下である請求項１または２に記載の磁気記録媒体。
【請求項２５】
前記基体の平均厚みが、３．４μｍ以下である請求項１または２に記載の磁気記録媒体。
【請求項２６】
前記磁性粉の平均粒子サイズは、１２ｎｍ以上２２ｎｍ以下である請求項１または２に記載の磁気記録媒体。
【請求項２７】
前記磁性粉の平均アスペクト比は、１．０以上２．５以下である請求項１または２に記載の磁気記録媒体。
【請求項２８】
前記磁性粉の平均アスペクト比は、１．０以上２．１以下である請求項１または２に記載の磁気記録媒体。
【請求項２９】
前記磁性粉の平均アスペクト比は、１．０以上１．８以下である請求項１または２に記載の磁気記録媒体。
【請求項３０】
前記磁気記録媒体の平均厚みは、５．２μｍ以下である請求項１に記載の磁気記録媒体。
【請求項３１】
前記磁気記録媒体の平均厚みは、５．０μｍ以下である請求項１または２に記載の磁気記録媒体。
【請求項３２】
前記磁気記録媒体の平均厚みは、４．６μｍ以下である請求項１または２に記載の磁気記録媒体。
【請求項３３】
前記磁気記録媒体の平均厚みは、４．４μｍ以下である請求項１または２に記載の磁気記録媒体。
【請求項３４】
前記保磁力Ｈｃ１と前記保磁力Ｈｃ２とが、Ｈｃ２／Ｈｃ１≦０．６５の関係を満たす請求項１または２に記載の磁気記録媒体。
【請求項３５】
前記保磁力Ｈｃ１と前記保磁力Ｈｃ２とが、Ｈｃ２／Ｈｃ１≦０．６の関係を満たす請求項１または２に記載の磁気記録媒体。
【請求項３６】
バック層を備え、
前記バック層の平均厚みは、０．６μｍ以下である請求項１または２に記載の磁気記録媒体。
【手続補正２】
【補正対象書類名】明細書
【補正対象項目名】０００６
【補正方法】変更
【補正の内容】
【０００６】
上述の課題を解決するために、本開示は、
テープ状の磁気記録媒体であって、
基体と、
基体上に設けられ、非磁性粉を含む非磁性層と、
非磁性層上に設けられ、磁性粉を含む磁性層と
を備え、
基体は、ＰＥＴ（ポリエチレンテレフタレート）、ＰＥＮ（ポリエチレンナフタレート）、ＰＢＴ（ポリブチレンテレフタレート）、ＰＢＮ（ポリブチレンナフタレート）、ＰＣＴ（ポリシクロヘキシレンジメチレンテレフタレート）、ＰＥＢ（ポリエチレン−ｐ−オキシベンゾエート）およびポリエチレンビスフェノキシカルボキシレートのうちの少なくとも１種を含み、
基体の平均厚みが、４．２μｍ以下であり、
磁性層の平均厚みが、９０ｎｍ以下であり、
磁性粉の平均アスペクト比が、１．０以上３．０以下であり、
磁気記録媒体の垂直方向における磁気記録媒体の保磁力Ｈｃ１が、３０００Ｏｅ以下であり、
保磁力Ｈｃ１と、磁気記録媒体の長手方向における磁気記録媒体の保磁力Ｈｃ２とが、Ｈｃ２／Ｈｃ１≦０．８の関係を満たし、
非磁性層の平均厚みが、１．１μｍ以下であり、
非磁性粉の平均粒子体積が、２．０×１０−５μｍ３以下である磁気記録媒体である。
本開示は、
テープ状の磁気記録媒体であって、
基体と、
基体上に設けられ、非磁性粉を含む非磁性層と、
非磁性層上に設けられ、磁性粉を含む磁性層と
を備え、
基体は、ＰＥＴ（ポリエチレンテレフタレート）、ＰＥＮ（ポリエチレンナフタレート）、ＰＢＴ（ポリブチレンテレフタレート）、ＰＢＮ（ポリブチレンナフタレート）、ＰＣＴ（ポリシクロヘキシレンジメチレンテレフタレート）、ＰＥＢ（ポリエチレン−ｐ−オキシベンゾエート）およびポリエチレンビスフェノキシカルボキシレートのうちの少なくとも１種を含み、
磁性層の平均厚みが、９０ｎｍ以下であり、
磁性粉の平均アスペクト比が、１．０以上３．０以下であり、
磁気記録媒体の垂直方向における磁気記録媒体の保磁力Ｈｃ１が、３０００Ｏｅ以下であり、
保磁力Ｈｃ１と、磁気記録媒体の長手方向における磁気記録媒体の保磁力Ｈｃ２とが、Ｈｃ２／Ｈｃ１≦０．７５の関係を満たし、
磁気記録媒体の平均厚みが、５．２μｍ以下である磁気記録媒体である。